(57)【要約】【課題】  ＴＶ映像の表示位置を簡単に変更することのできるナビゲーション装置を提供する。【解決手段】  地図とＴＶ映像とを表示面３１Ａに同時に表示可能な表示部１４０を有し、経路案内を行うナビゲーション装置１において、表示部１４０の表示面３１Ａ上に設けられたタッチパネル３２を備え、表示部１４０の表示面３１Ａに地図とＴＶ映像とが同時に表示されているときに、タッチパネル３２がタッチ操作された場合、当該タッチ操作された個所に基づいて、ＴＶ映像が表示されている領域を移動するようにした。【選択図】      図８
2006078814.tif 000002
【特許請求の範囲】
【請求項１】
地図とＴＶ映像とを表示面に同時に表示可能な表示手段を有し、経路案内を行うナビゲーション装置において、
前記表示手段の表示面上に設けられたタッチパネルを備え、
前記表示手段の表示面に地図とＴＶ映像とが同時に表示されているときに、前記タッチパネルがタッチ操作された場合、当該タッチ操作された個所に基づいて、前記ＴＶ映像が表示されている領域を移動するようにした
ことを特徴とするナビゲーション装置。
【請求項２】
前記タッチパネルの縁部がタッチ操作された場合、前記タッチパネルの中心から当該タッチ操作の操作個所に至る方向と、ほぼ同じ方向に前記ＴＶ映像が表示されている領域を移動するようにした
ことを特徴とする請求項１に記載のナビゲーション装置。
【請求項３】
前記タッチパネルをタッチしている時間に応じて前記ＴＶ映像が表示されている領域の移動量を大きくする
ことを特徴とする請求項１または２に記載のナビゲーション装置。
【請求項４】
前記ＴＶ映像が表示されている領域内がタッチされ、そのタッチ個所が前記タッチパネルの面上を移動した場合に、前記ＴＶ映像が表示されている領域を、前記タッチ個所の移動にあわせて移動させるようにした
ことを特徴とする請求項１乃至３のいずれかに記載のナビゲーション装置。
【請求項５】
前記表示手段は、前記表示面の表示領域内に前記地図を表示すると共に、前記表示領域内の一部に形成された小窓に前記ＴＶ映像を表示して、前記地図と前記ＴＶ映像とを同時に表示する
ことを特徴とする請求項１乃至４のいずれかに記載のナビゲーション装置。
【発明の詳細な説明】
【技術分野】
【０００１】
本発明は経路案内を行うナビゲーション装置に関する。
【背景技術】
【０００２】
近年、車載型のナビゲーション装置においては、表示装置の表示面全体に地図を表示する全画面表示に加え、表示面を２分割してなる２画面表示を可能にしたものが知られている（例えば、特許文献１参照）。さらに、２画面表示が可能なナビゲーション装置として、地図と共にＴＶ映像を表示するものが知られている。このようなナビゲーション装置では、ＴＶ映像の表示位置を設定するための設定画面が予め用意されており、ユーザがＴＶ映像の表示位置を変更する場合には、この設定画面を呼び出して、再設定する構成となっている。
【特許文献１】特開２００３−３４０５７８号公報
【発明の開示】
【発明が解決しようとする課題】
【０００３】
しかしながら、上記従来の技術にあっては、ユーザがＴＶ映像の表示位置を変更しようとするたびに、上記設定画面を呼び出して設定するという操作手順を踏まなくてはならず、ＴＶ映像の表示位置の変更操作が煩雑であるという問題があった。
本発明は、上述した事情に鑑みてなされたものであり、ＴＶ映像の表示位置を簡単に変更することのできるナビゲーション装置を提供することを目的とする。
【課題を解決するための手段】
【０００４】
上記目的を達成するために、本発明は、地図とＴＶ映像とを表示面に同時に表示可能な表示手段を有し、経路案内を行うナビゲーション装置において、前記表示手段の表示面上に設けられたタッチパネルを備え、前記表示手段の表示面に地図とＴＶ映像とが同時に表示されているときに、前記タッチパネルがタッチ操作された場合、当該タッチ操作された個所に基づいて、前記ＴＶ映像が表示されている領域を移動するようにしたことを特徴とする。
【０００５】
なお、この発明において、ＴＶ映像はＤＶＤやＣＤ、ビデオテープ等の記録媒体に記録されたアニメや映画、ライブ映像などの動画像を示唆する概念であり、ＴＶ映像に代えて、これらの動画像を地図と共に同時に表示する構成であっても良い。
【０００６】
また、本発明は、上記発明において、前記タッチパネルの縁部がタッチ操作された場合、前記タッチパネルの中心から当該タッチ操作の操作個所に至る方向と、ほぼ同じ方向に前記ＴＶ映像が表示されている領域を移動するようにしたことを特徴とする。
【０００７】
また本発明は、上記発明において、前記タッチパネルをタッチしている時間に応じて前記ＴＶ映像が表示されている領域の移動量を大きくすることを特徴とする。
【０００８】
また本発明は、上記発明において、前記ＴＶ映像が表示されている領域内がタッチされると共にタッチ個所が前記タッチパネルの面上を移動した場合に、前記ＴＶ映像が表示されている領域を、前記タッチ個所の移動にあわせて移動させるようにしたことを特徴とする。
【０００９】
また本発明は、上記発明において、前記表示手段は、前記表示面の表示領域内に前記地図を表示すると共に、前記表示領域内の一部に形成された小窓に前記ＴＶ映像を表示して、前記地図と前記ＴＶ映像とを同時に表示することを特徴とする。
【発明の効果】
【００１０】
本発明によれば、ＴＶ映像の表示位置を簡単に変更することのできるナビゲーション装置が提供される。
【発明を実施するための最良の形態】
【００１１】
以下図面を参照して、本発明の実施の形態について説明する。図１は本実施の形態に係るナビゲーション装置１の外観構成を示す斜視図である。このナビゲーション装置１は、車両に搭載され、車両の経路案内を行うものであり、図１に示すように、車両のダッシュボード２に設けられた所定の収納スペースに嵌め込まれる装置本体１０と、この装置本体１０の正面に設けられた操作パネル１１とを備えている。操作パネル１１は、枠体としてのフェイスパネル１２と、このフェイスパネル１２上に設けられた複数の操作スイッチ１３と、フェイスパネル１２に嵌め込まれた表示パネル１４とを有している。この表示パネル１４には、現在地点の周辺地図、車両の現在位置、及び、目的地までの経路が表示され、これにより経路案内が行われる。
【００１２】
操作パネル１１は、図２に示すように、装置本体１０の正面に設けられた収納部１５に開閉自在に取り付けられている。具体的には、図３に示すように、収納部１５両側の側壁１６の面内に上下に延びるガイド溝１７が形成され、操作パネル１１の上方両端側に設けられた突起１８が上記ガイド溝１７に移動自在に取り付けられると共に、操作パネル１１の下方両端側に押出機構１９が取り付けられている。この押出機構１９は、装置本体１０の正面に向けて突出し操作パネル１１の下端部を押し出すものであり、図示せぬモータによって突出駆動されるスライドバー２０を有し、このスライドバー２０の先端が操作パネル１１の側面下方に軸ピン２０Ａにより連結され、操作パネル１１を回転自在に支持している。
【００１３】
したがって、押出機構１９による操作パネル１１の下端部の押し出し動作に伴い、突起１８がガイド溝１７に沿って下方側に移動することで、操作パネル１１が傾動し、前掲図２に示すように、操作パネル１１が開かれ、そして、装置本体１０の正面が露出する。これとは逆に、押出機構１９が操作パネル１１の下端部を引き戻し、突起１８がガイド溝１７に沿って上方側に移動することで、前掲図１に示すように操作パネル１１が閉じ、装置本体１０が操作パネル１１に覆われた状態となる。この操作パネル１１の開閉動作、すなわち、上記スライドバー２０を駆動する図示せぬモータの始動は、操作パネル１１のフェイスパネル１２上に配設された操作スイッチ１３の操作に基づいて行われる。
【００１４】
装置本体１０の正面には、前掲図２に示すように、メモリカード等のカード型記録媒体が挿入されるカード挿入口２１や、このカード挿入口２１からカード型記録媒体を排出するための排出ボタン２２、ＣＤ（Compact Disc）或いはＤＶＤ(Digital Versatile Disk)等のディスク型記録媒体（光ディスク）が挿入されるディスク挿入口２３、ディスク挿入口２３からディスク型記録媒体を排出するための排出ボタン２４などが設けられている。これらの挿入口２１、２３は、上述の通り、通常時は操作パネル１１により覆われており、操作スイッチ１３を操作して操作パネル１１を開くことで、挿入口２１、２３にアクセス可能となる。
【００１５】
次いで、操作パネル１１に設けられた表示パネル１４の構成について詳細する。図４に示すように、表示パネル１４は、液晶駆動回路基板３０と、液晶パネル３１と、液晶パネル３１の表示面３１Ａ全体を覆うように設けられたタッチパネル３２とを有している。タッチパネル３２には、抵抗膜方式のものが用いられ、透明度（光透過度）が高く、液晶パネル３１の表示がタッチパネル３２を通して視認可能になされている。このように、本ナビゲーション装置１にあっては、フェイスパネル１２に設けた操作スイッチ１３に加え、タッチパネル３２による操作も可能となっている。なお、表示パネル１４としては、上記液晶パネル３１に代えて、例えば有機ＥＬ（Electro-Luminescence）パネル等を用いることも可能である。
【００１６】
図５は、ナビゲーション装置１の機能的構成を示すブロック図である。この図において、制御部１００は、ナビゲーション装置１の各部を中枢的に制御するものであり、演算・制御手段としてのメインＣＰＵ（Central Processing Unit）１０１と、ＲＯＭ１０２、ＤＲＡＭ１０４及びＳＲＡＭ１０６を有する記憶部１１０とを備えている。ＲＯＭ（Read Only Memory）１０２は制御プログラムやデータ等を格納するものである。これらの制御プログラムやデータ等は、ナビゲーション装置１の主電源投入時に、メインＣＰＵ１０１によって読み出されて実行され、これにより各部の制御動作が行われる。ＤＲＡＭ（Dynamic Random Access Memory）１０４はメインＣＰＵ１０１がＲＯＭ１０２から読み出したプログラムや、演算結果、演算途中のデータ等を一時的に格納するものである。ＳＲＡＭ（Static Random Access Memory）１０６はナビゲーション装置１の主電源切断時に、ＤＲＡＭ１０４に格納されているデータ等の記憶内容をバックアップするものであり、主電源切断後においても車両のバッテリーから電力が供給され、主電源切断後もバックアップすべき記憶内容を保持可能になされている。
【００１７】
主記憶部１２０は比較的容量の大きな各種アプリケーションプログラムやデータ等を格納するものであり、例えばハードディスク装置を備えている。主記憶部１２０に格納されるものとしては、例えば経路案内のためのプログラムや、表示パネル１４の表示制御のためのプログラム、経路案内のための地図データ等がある。
【００１８】
記録媒体読取部１３０は、制御部１００の制御の下、上述したカード型記録媒体やディスク型記録媒体に記録されているデータを読み取り、制御部１００に出力するものであり、カード型記録媒体読取装置や、ＣＤ／ＤＶＤドライブ装置等を備えている。なお、記録媒体に地図データを格納し、この地図データを経路案内に用いる構成としても良い。
音出力部１３５は、制御部１００の制御の下、音楽や音声を出力するものであり、例えば、記録媒体に記録された音楽データの再生にあっては、記録媒体読取部１３０によって読み取られた音楽データが音出力部１３５に出力され、音楽が再生される。
【００１９】
表示部１４０は、制御部１００の制御の下、地図等の各種情報を表示するものであり、描画回路１４２と、液晶駆動回路１４４と、上述した液晶パネル３１とを備えている。描画回路１４２は、地図データ等を含む描画コマンドＤＳＳを制御部１００から受け取り、この描画コマンドＤＳＳに基づいた表示を行うべく液晶駆動回路１４４を制御するものであり、描画プロセッサ１４６とＶＲＡＭ１４８とを備えている。描画プロセッサ１４６は、描画コマンドＤＳＳに基づいて液晶パネル３１に表示すべき描画データ（例えばビットマップ画像データ）を生成するものであり、ＶＲＡＭ（Video RAM）１４８は描画データを保持するものである。液晶駆動回路１４４はＶＲＡＭ１４８に保持されている描画データを順次受け取り、この描画データに基づいて液晶パネル３１の表示面３１Ａに表示するものである。これら描画回路１４２及び液晶駆動回路１４４は、上述した液晶駆動回路基板３０に実装されている。
【００２０】
位置検出部１５０は、ＧＰＳ（Global Positioning System）衛星から送信されているＧＰＳ電波を受信するアンテナ（レシーバでも良い）を備え、ＧＰＳ電波に基づいて、車両の現在地点を示す位置座標と、進行方向とを計算し、位置検出信号ＰＳとして制御部１００に出力するものである。制御部１００は、経路探索時に、位置検出信号ＰＳにより示される現在地点から目的地までの誘導経路を探索して探索結果を表示部１４０に表示し、また、経路案内時には、位置検出信号ＰＳに基づいて現在位置の移動状況を地図と共に表示部１４０に表示して経路案内を行う。
【００２１】
ＦＭ多重受信処理部１６０は、制御部１００の制御の下、ＦＭ多重放送波を受信して、渋滞や事故、交通規制といったＶＩＣＳ情報（道路交通情報）や緊急情報、天気予報（気象情報）といった各種情報を取り出し、制御部１００に出力するものである。また、ビーコン受信処理部１７０は、制御部１００の制御の下、車両走行中の道路に関するＶＩＣＳ情報を受信し、制御部１００に出力するものである。ここで、車両走行中にあっては、ＦＭ多重受信処理部１６０及びビーコン受信処理部１７０は、これらＶＩＣＳ情報や緊急情報、天気予報等の各種情報を文字情報として取得しており、この文字情報が制御部１００に出力され、制御部１００の制御によって、表示部１４０に文字（アイコン等を含む）として表示される。
【００２２】
ＴＶ受信処理部１８０は、制御部１００の制御の下、ＴＶ（テレビジョン）放送波を受信してＴＶ映像及びＴＶ音声を制御部１００に出力するものであり、図示せぬＴＶチューナ回路を備えている。ＴＶ映像は動画像として液晶パネル３１に表示され、また、ＴＶ音声は音出力部１３５から出力される。
【００２３】
車両情報取得部２００は、車両の走行状態に関する情報を取得するものである。具体的には、車両情報取得部２００は、イルミ情報取得部２０２と、車速パルス取得部２０４と、パーキングブレーキ操作状態取得部２０６とを備えている。イルミ情報取得部２０２は、車両に配設されたイルミ配線の電流（或いは電圧）を検知し、車両のスモールライト（車幅灯）のオン・オフを示すイルミ信号ＩＬＳを制御部１００に出力するものである。車両のスモールライトのオン・オフを検出することで、車両の周囲の明るさを特定することが可能となり、イルミ信号ＩＬＳによって、スモールライトの点灯が示されている場合、制御部１００は、描画回路１４２を制御することで、液晶パネル３１の輝度を高め、液晶パネル３１の表示が見えにくくなるのを防止する。
【００２４】
車速パルス取得部２０２は、車両の走行速度を示す車速パルス信号を車両に搭載されたコンピュータ、或いは、車両に取り付けられたセンサから取得し、制御部１００に車速信号ＣＳＳとして出力するものである。
パーキングブレーキ操作状態取得部２０４は、車両のパーキングブレーキレバー（或いはペダル）の操作状態を取得し、パーキングブレーキがかけられているか否かを示すパーキングブレーキ状態信号ＰＢＳを出力するものである。すなわち、このパーキングブレーキ状態信号ＰＢＳに基づいて車両が駐車中であるか否か、特に、車両が走行中（一時的な停止状態を含む）であるかが特定される。
【００２５】
操作部１９０は、スイッチ操作部１９２と、タッチパネル操作部１９４とを備えている。スイッチ操作部１９２は、上述した操作スイッチ１３に加え、この操作スイッチ１３の操作を電気信号に変換してスイッチ信号ＳＳを制御部１００に出力するスイッチ回路基板（図示せず）を備えている。タッチパネル操作部１９４は、上述したタッチパネル３２に加え、タッチパネル３２の操作を電気信号に変換してタッチ信号ＴＳを制御部１００に出力するタッチパネル回路基板（図示せず）を備えている。タッチ信号ＴＳには、タッチパネル３２面上のタッチ操作個所の座標を示す情報が含まれており、これにより、制御部１００が、タッチパネル３２上のタッチ操作個所を識別可能となる。ここで、制御部１００は、走行の安全を図るべく、パーキングブレーキ状態信号ＰＢＳにより車両が駐車中でないことが示されている場合には、操作部１９０からのスイッチ信号ＳＳ及びタッチ信号ＴＳの入力を無効とし、車両が駐車していないとき、特に車両走行中の各種の操作を禁止している。
【００２６】
次いで、表示部１４０の表示態様について説明する。図６に示すように、ナビゲーション装置１は、液晶パネル３１の表示面３１Ａ全体に地図或いはＴＶ映像を表示する全画面表示と、図７に示すように、液晶パネル３１の表示面３１Ａに地図とＴＶ映像と同時に表示する２画面表示との２つの表示態様を有している。２画面表示においては、表示面３１Ａの表示領域内の一部が略矩形に区分されて小窓画面３１Ｂが形成され、表示面３１Ａ全体に地図が表示されると共に、小窓画面３１ＢにＴＶ映像が表示される。
【００２７】
この小窓画面３１Ｂは、その表示面積を拡大または縮小可能に構成されると共に、その表示位置も変更可能に構成されている。具体的には、操作部１９０（スイッチ操作部１９２或いはタッチパネル操作部１９４）の操作によって、小窓画面３１Ｂの表示面積の拡大または縮小を指示するようになっており、制御部１００は、かかる指示を受け取った場合、この指示に基づく描画コマンドＤＳＳを表示部１４０に出力して、小窓画面３１Ｂの表示面積を変更する。
【００２８】
また、表示面３１Ａ内での小窓画面３１Ｂの表示位置の変更は、タッチパネル３２のタッチ操作により変更可能になされている。より詳細には、液晶パネル３１が２画面表示状態である場合、タッチパネル３２の縁部（周辺部）をタッチ操作するか、或いは、小窓画面３１Ｂの表示領域内をタッチ操作することで、小窓画面３１Ｂの表示位置を変更可能に構成されている。
【００２９】
すなわち、図８に示すように、２画面表示状態においては、タッチパネル３２の縁部３３が小窓画面３１Ｂを移動させるための移動ボタン３４として機能すると共に、小窓画面３１Ｂの表示領域に対応するタッチパネル３２の領域が小窓画面３１Ｂをドラッグ移動させるためのドラッグ操作ボタン３５として機能する。移動ボタン３４について詳細には、タッチパネル３２の上辺３２Ａ近傍が、小窓画面３１Ｂを上方に移動させるための上方向移動ボタン３４Ａとして機能し、これと同様に、右辺３２Ｂ近傍が右方向移動ボタン３４Ｂ、下辺３２Ｃ近傍が下方向移動ボタン３４Ｃ、左辺３２Ｄ近傍が左方向移動ボタン３４Ｄ、右上隅３２Ｅ近傍が右上方向移動ボタン３４Ｅ、右下隅３２Ｆ近傍が右下方向移動ボタン３４Ｆ、左下隅３２Ｇ近傍が左下方向移動ボタン３４Ｇ、左上隅３２Ｈ近傍が左上方向移動ボタン３４Ｈとして機能する。このように、表示面３１Ａの中心Ｏからみて各移動ボタン３４Ａ〜３４Ｈが配置される方向と、各々の移動ボタン３４Ａ〜３４Ｈが小窓画面３１Ｂを移動させる方向とが合致するようになされている。したがって、各移動ボタン３４Ａ〜３４Ｈを表示等により明示せずとも、直感的に識別可能となり、小窓画面３１Ｂの移動操作が容易なものとなる。また、各移動ボタン３４Ａ〜３４Ｈの表示が不要であるから、これらの移動ボタン３４Ａ〜３４Ｈの表示により表示面３１Ａに表示された地図を隠してしまうこともない。
【００３０】
図９は、各移動ボタン３４Ａ〜３４Ｈ及びドラッグ操作ボタン３５のタッチパネル３２上の座標範囲Ａ１〜Ａ９と操作内容とを規定するボタン設定３００を示す図であり、このボタン設定３００が制御部１００の記憶部１１０（例えばＲＯＭ１０２等）に予め格納されている。画面表示が２画面表示状態であるときに、タッチパネル３２がタッチ操作された場合には、制御部１００は、このボタン設定３００に基づいて、タッチ操作個所（座標値）から操作内容を特定する。ここで、ドラッグ操作ボタン３５の座標範囲Ａ９は、小窓画面３５の表示位置及び表示面積に応じて変わるため、表示画面が２画面表示状態となったときに、そのときの小窓画面３１Ｂの表示領域がドラッグ操作ボタン３５の座標範囲Ａ９の初期値として取り込まれる。そして、小窓画面３１Ｂの表示位置或いは面積が変更されるごとに、ドラッグ操作ボタン３５の座標範囲Ａ９が更新される。
【００３１】
また、本実施の形態では、各移動ボタン３４Ａ〜３４Ｈのタッチ時間ｔ（押下時間）に応じて、小窓画面３１Ｂの移動距離を変更する構成としている。具体的には、図１０に示すように、タッチ時間ｔが基準時間Ｔｔｈ（例えば１〜２秒程度）よりも長い場合（以下かかる操作を「長押操作」という）は、移動距離Ｄ１だけ小窓画面３１Ｂが移動し、タッチ時間ｔが基準時間Ｔｔｈよりも短い場合（以下、かかる操作を「短押操作」という）は、距離Ｄ１よりも短い移動距離Ｄ２だけ小窓画面３１Ｂが移動する。これらの移動距離Ｄ１、Ｄ２の単位としてピクセルを用いるととし、移動距離Ｄ１が１０ピクセル、移動距離Ｄ２が１ピクセルに設定されている。
【００３２】
したがって、各移動ボタン３４Ａ〜３４Ｈの長押操作がなされた場合には、図１１に示すように、その操作された移動ボタン３４（図示例では左上方向移動ボタン３４Ｈ）が表示面３１Ａの中心Ｏからみて配置されている方向に、比較的長い移動距離Ｄ１（１０ピクセル）だけ小窓画面３１Ｂが大きく移動し、また、短押操作がなされた場合には、図１２に示すように、その操作された移動ボタン３４（図示例では左上方向移動ボタン３４Ｈ）が表示面３１Ａの中心Ｏからみて配置されている方向に、比較的短い移動距離Ｄ２（１ピクセル）だけ小窓画面３１Ｂが小刻みに移動する。これにより、小窓画面３１Ｂの大まかな表示位置の調整と微調整とが可能となる。
【００３３】
また、図１３に示すように、小窓画面３１Ｂの表示領域、すなわち、ドラッグ操作ボタン３５がタッチされ、そして、タッチした指が表示面３１Ａを摺動すると（いわゆる、ドラッグ操作）、この摺動にあわせて小窓画面３１Ｂが移動する。これにより、小窓画面３１Ｂを、あたかも指で移動させるかのような移動操作が可能となり、より直感的に小窓画面３１Ｂの移動操作を行うことができる。
【００３４】
次に、ナビゲーション装置１の動作、特に、小窓画面３１Ｂの移動動作について図１４を参照しつつ詳述する。図１４は小窓画面移動処理のフローチャートである。この図に示すように、制御部１００は、表示部１４０の画面表示が、地図表示と共にＴＶ映像を小窓画面３１Ｂに表示した２画面表示状態となっているか否かを判断し（ステップＳ１）、２画面表示でない場合は（ステップＳ１：ＮＯ）、小窓画面３１Ｂの移動がないため処理を終了する。一方、２画面表示状態である場合（ステップＳ１：ＹＥＳ）、小窓画面３１Ｂの表示領域をドラッグ操作ボタン３５の座標範囲Ａ９として設定すべく、この小窓画面３１Ｂの表示領域の座標値を取得して、記憶部１１０のＳＲＡＭ１０６等に格納する（ステップＳ２）。
【００３５】
そして、制御部１００は、タッチパネル操作部１９４からタッチ信号ＴＳが出力されたか否かを判断し、タッチパネル３２に対してタッチ操作が行われたか否かを判断する（ステップＳ３）。タッチ操作がない場合（ステップＳ３：ＮＯ）、制御部１００は、処理手順をステップＳ１に戻して、２画面表示状態の確認と、タッチ操作の有無の確認とを繰り返す。一方、タッチ操作があった場合（ステップＳ３：ＹＥＳ）、制御部１００は、そのタッチ操作の操作内容を特定すべく、次の処理を実行する。すなわち、制御部１００は、タッチパネル３２の縁部３３（より具体的には、タッチパネル３２の縁部３３に設けられた移動ボタン３４Ａ〜３４Ｈのいずれか）がタッチ操作されたか否かをタッチ信号ＴＳに含まれるタッチ座標情報に基づいて判断する（ステップＳ４）。タッチ操作された個所が縁部３３でない場合には（ステップＳ４：ＮＯ）、制御部１００は、次に小窓画面３１Ｂの表示領域内がタッチ操作されたか否かを判断する（ステップＳ５）。そして、タッチ操作された個所が小窓画面３１Ｂの表示領域内でもない場合には（ステップＳ５：ＮＯ）、そのタッチ操作が上記移動ボタン３４Ａ〜３４Ｈ及びドラッグ操作ボタン３５のいずれかを操作するものでなく無効な操作であるとして、処理手順をステップＳ１に戻す。
【００３６】
一方、タッチ操作された個所が縁部３３である場合には（ステップＳ４：ＹＥＳ）、制御部１００は、当該縁部３３のタッチ操作に基づいて小窓画面３１Ｂを移動させるための縁部操作移動処理を実行し（ステップＳ６）、また、タッチ操作された個所が小窓画面３１Ｂの表示領域内である場合には、小窓画面３１Ｂをドラッグ移動させるためのドラッグ操作処理を実行する（ステップＳ７）。
【００３７】
縁部操作移動処理においては、図１５に示すように、制御部１００は、タッチパネル３２の縁部３３に設けられた移動ボタン３４Ａ〜３４Ｈのうちのいずれがタッチ操作されたかをタッチ信号ＴＳの座標情報に基づいて判断して（ステップＳ６０）、その移動ボタン３４に予め対応付けられた操作内容（前掲図９参照）に基づいて、小窓画面３１Ｂを移動させるべき方向を特定する（ステップＳ６１）。
次いで制御部１００は、小窓画面３１Ｂを移動させるべき距離を特定すべく、タッチ操作が長押操作か、或いは、短押操作かを判断する（ステップＳ６２）。すなわち、このステップＳ７２において、制御部１００は、タッチ操作が検出されてからタッチパネル３２から指が離されるまでのタッチ時間ｔをカウントし、このタッチ時間ｔが基準時間Ｔｔｈよりも大である場合に、タッチ操作が長押操作であると判断し、そうでなければ短押操作であると判断する。
【００３８】
タッチ操作が長押操作である場合（ステップＳ６２：長押操作）、制御部１００は、小窓画面３１Ｂを、ステップＳ６１にて特定した移動方向に１０ピクセルだけ移動し（ステップＳ６１）、また、タッチ操作が短押操作である場合（ステップＳ６２：短押操作）、制御部１００は、小窓画面３１Ｂを、ステップＳ６１にて特定した移動方向に１ピクセルだけ移動する。これにより、長押操作がなされた場合には、前掲図１１に示すように、その移動ボタン３４が表示面３１Ａの中心Ｏからみて配置されている方向と同じ方向に小窓画面３１Ｂが大きく移動し、また、短押操作がなされた場合には、前掲図１２に示すように、その移動ボタン３４が表示面３１Ａの中心Ｏからみて配置されている方向と同じ方向に小窓画面３１Ｂが小刻みに移動することとなる。なお、移動ボタン３３のタッチ時間が上述した基準時間Ｔｔｈの数倍の長さになる場合には、タッチ操作がなされている間、小窓画面３１Ｂを移動距離Ｄ１ずつ繰り返し移動させるようにしても良い。
【００３９】
また、ドラッグ操作処理においては、図１６に示すように、制御部１００は、時間Δｔ（例えば０．１秒など）の間でのタッチ操作個所の変移量と変移の方向とを、タッチ信号ＴＳに基づいて算出し（ステップＳ７０）、その変移量と変移の方向とにあわせて小窓画面３１Ｂを移動させる（ステップＳ７１）。具体的には、ステップＳ７０において、制御部１００は、現時点でのタッチ操作個所の座標値と、時間Δｔ経過後のタッチ操作個所の座標値とに基づいて、タッチ操作個所の変移量と変移の方向とを三平方の定理やベクトル演算等で算出し、ステップＳ７１において、その変移量を小窓画面３１Ｂの移動量とし、また、変移の方向を小窓画面３１Ｂの移動方向として、小窓画面３１Ｂを移動する。
【００４０】
そして、制御部１００は、タッチ操作がいまだ継続中であるか否かを、タッチ信号ＴＳに基づいて判断し（ステップＳ７２）、タッチ操作が継続中である場合（ステップＳ７２：ＹＥＳ）、小窓画面３１Ｂの移動量と移動方向とを特定すべく、処理手順をステップＳ７０に戻す。また、タッチ操作が完了している場合には（ステップＳ７２：ＮＯ）、小窓画面３１Ｂの移動を行う必要がないため制御部１００は処理を終了する。以上の処理により、小窓画面３１Ｂの表示領域内がタッチされ、そのタッチした指がタッチパネル３２の面上を摺動するといったドラッグ操作が行われた場合、前掲図１３に示すように、その指の動きにあわせて表示画面が移動することになる。
【００４１】
以上説明したように、本実施の形態のナビゲーション装置１によれば、表示部１４０の表示面３１Ａの全面に地図を表示すると共に、当該表示面３１Ａに形成した小窓画面３１ＢにＴＶ映像を同時に表示しているときに、タッチパネル３２がタッチ操作された場合、タッチ操作された個所に基づいて、ＴＶ映像が表示されている小窓画面３１Ｂを移動するようにしたため、小窓画面３１Ｂの表示位置を設定するための設定画面を呼び出し、設定を行うといった煩雑な操作手順を踏まなくとも、この小窓画面３１Ｂを簡単に移動させることができ、ナビゲーション装置１の利便性を高めることができる。
【００４２】
特に、地図上に表示されている現在位置、或いは、確認したい場所が、小窓画面３１Ｂの背後に隠れてしまっている場合に、タッチパネル３２をタッチ操作するだけで、小窓画面３１Ｂを移動させ、その隠れてしまっている個所を表示させることができる。
【００４３】
また、本実施の形態のナビゲーション装置１によれば、タッチパネル３２の縁部３３がタッチ操作された場合、タッチパネル３２の中心から当該タッチ操作の操作個所に至る方向と、ほぼ同じ方向にＴＶ映像が表示されている小窓画面３１Ｂを移動するようにしたため、ユーザが小窓画面３１Ｂを所望の方向に移動させる場合には、タッチパネル３２の縁部３３のうち、その方向に対応する個所をタッチ操作すれば良いため、小窓画面３１Ｂの移動のためのタッチ操作を直感的に行うことができる。
【００４４】
特に、タッチパネル３２の縁部３３のどの位置をタッチ操作すれば、小窓画面３１Ｂがどの方向に移動するかが直感的に把握可能となるため、タッチパネル３２の縁部３３に設けられた移動ボタン３４を表示面３１Ａに表示する必要がなく、この表示面３１Ａを有効に利用することができる。
【００４５】
さらにまた、本実施の形態のナビゲーション装置１によれば、タッチパネル３２をタッチしているタッチ時間ｔに応じて、タッチ操作を長押操作と短押操作とに分け、長押操作時には、小窓画面３１Ｂの移動量を比較的大きくし、また、短押操作時には、小窓画面３１Ｂの移動量を長押操作時よりも小さくするようにしたため、小窓画面３１Ｂを大まかに移動させる操作と小刻みに移動させる操作とを簡単に使い分けることができる。また、小窓画面３１Ｂを小刻みに移動させることができるから、小窓画面３１Ｂの表示位置の微調整も簡単に行うことができる。
【００４６】
また、本実施の形態のナビゲーション装置１によれば、ＴＶ映像が表示されている小窓画面３１Ｂの表示領域内がタッチされ、そのタッチ個所がタッチパネル３２の面上を移動した場合（いわゆる、ドラッグ操作）に、この小窓画面３１Ｂを、タッチ個所の移動にあわせて移動させるようにしたため、小窓画面３１Ｂをあたかも指で移動させるような操作感をユーザに与えることができ、より直感的な操作を実現することができる。
【００４７】
また、ドラッグ操作による移動操作と、長押操作・短押操作による移動操作との両方を共に実現可能とすることで、ドラッグ操作によって小窓画面３１Ｂを大まかに移動させた後に、短押操作によって小窓画面３１Ｂの表示位置の微調整を行うといったことも可能となる。
【００４８】
なお、上述した実施の形態は、あくまでも本発明の一態様を示すものであり、本発明の範囲内で任意に変形を加えることができる。
【００４９】
例えば、上述した実施の形態では、地図とＴＶ映像とを同時に表示する２画面表示について説明したが、地図とＴＶ映像とが同時に表示されている限りにおいて、３画面以上の複数画面表示であっても良い。
【００５０】
また例えば、上述した実施の形態では、地図とＴＶ映像とを同時に表示する場合を例示したが、地図と同時に表示されるのはＴＶ映像表示に限らない。すなわち、車両走行中に、表示が禁止されているものであれば、ＴＶ映像に代えて、例えば光ディスク等の記録メディアに記録されたマルチメディア動画像（映画やＴＶ録画映像、コンサート映像、ライブ映像等）であっても良い。
【００５１】
また、上述した実施の形態では、ナビゲーション装置として車両に搭載される車載型の装置について例示したが、本発明は、経路案内を行うものであって、地図とＴＶ映像とを同時に表示可能な表示装置を備えるナビゲーション装置であれば、例えば携帯型などの任意のナビゲーション装置に適用可能である。また、本発明のナビゲーション装置は装置単体の他に、携帯電話やＰＤＡなどに組み込まれた態様でも実施可能である。
【図面の簡単な説明】
【００５２】
【図１】本発明の実施の形態に係るナビゲーション装置の外観構成を示す斜視図である。
【図２】操作パネルが開状態のときを示す上記ナビゲーション装置の外観構成を示す斜視図である。
【図３】操作パネルが開閉する機構を示す図である。
【図４】表示パネルの構成を示す分解斜視図である。
【図５】上記ナビゲーション装置の機能的構成を示すブロック図である。
【図６】表示部（表示パネル）における全画面表示状態を模式的に示す図である。
【図７】表示部（表示パネル）における２画面表示状態を模式的に示す図である。
【図８】小窓画面の移動操作のための移動ボタンの配置構成を示す図である。
【図９】移動ボタンの設定を示す図である。
【図１０】長押操作及び短押操作と小窓画面の移動距離との関係を示す図である。
【図１１】長押操作による小窓画面の移動の態様を示す図である。
【図１２】短押操作による小窓画面の移動の態様を示す図である。
【図１３】ドラッグ操作による小窓画面の移動の態様を示す図である。
【図１４】小窓画面移動処理を示すフローチャートである。
【図１５】縁部操作移動処理を示すフローチャートである。
【図１６】ドラッグ操作処理を示すフローチャートである。
【符号の説明】
【００５３】
１  ナビゲーション装置
１１  操作パネル
１４  表示パネル
３１  液晶パネル
３１Ａ  表示面
３１Ｂ  小窓画面
３２  タッチパネル
３４  移動ボタン
３５  ドラッグ操作ボタン
１００  制御部
１４０  表示部
１５０  位置検出部
１８０  ＴＶ受信処理部
１９０  操作部
【図１】
2006078814.tif 000003
【図２】
2006078814.tif 000004
【図３】
2006078814.tif 000005
【図４】
2006078814.tif 000006
【図５】
2006078814.tif 000007
【図６】
2006078814.tif 000008
【図７】
2006078814.tif 000009
【図８】
2006078814.tif 000010
【図９】
2006078814.tif 000011
【図１０】
2006078814.tif 000012
【図１１】
2006078814.tif 000013
【図１２】
2006078814.tif 000014
【図１３】
2006078814.tif 000015
【図１４】
2006078814.tif 000016
【図１５】
2006078814.tif 000017
【図１６】
2006078814.tif 000018